(57)【要約】      （修正有）【課題】簡易に収容することができ、正確に測量を行うことができる測量機三脚固定セットを提供する。【解決手段】ベース基板と、ベース基板より等間隔で、かつ放射方向に延設した三つのベース片と、ベース片の表面に立設した複数の係止突起と、ベース片に係止される三つのベース材でなる。ベース片の係止突起に、ベース材の第一の孔を、係止し、かつベース材の基端側を、ベース片に添接して固定し、ベース材の長手方向に複数個開設した第二の孔に、三脚の脚先端の針を、それぞれ差込む。各ベース材の基端側に折曲げ部又は添接部を設ける。【選択図】図３
0003159736.tif 000002
【実用新案登録請求の範囲】
【請求項１】
測量機を架承する三脚用ベースは、ベース基板と、このベース基板より等間隔で、かつ放射方向に延設した三つのベース片と、この各ベース片の表面に立設した複数の係止突起と、この各ベース片に係止される三つのベース材とで構成し、
前記各ベース片の複数の係止突起に、前記各ベース材の基端の第一の孔を、それぞれ係止するとともに、この基端側を、前記各ベース片に添接して固定し、この固定した各ベース材の長手方向において、複数個開設した第二の孔に、前記三脚の各脚先端に設けた各針を、それぞれ差込む構成とし、
前記各ベース材の基端側には、各ベース片に添接するための折曲げ部か、又は添接部を設ける構成とした測量機三脚固定セット。
【請求項２】
請求項１に記載の測量機三脚固定セットにおいて、
前記ベース材が、剛性の板材とする構成とした測量機三脚固定セット。
【請求項３】
請求項１に記載の測量機三脚固定セットにおいて、
前記ベース材が、布製とする構成とした測量機三脚固定セット。
【請求項４】
請求項１に記載の測量機三脚固定セットにおいて、
前記ベース基板、及び／又は、前記ベース片とに、スリップ防止、緩衝用等の補助板を取付ける構成とした測量機三脚固定セット。
【請求項５】
請求項２に記載の測量機三脚固定セットにおいて、
前記ベース材が、剛性の板材とした構成では、前記ベース片の一枚に、この三枚の板材を重畳してセットする構成とした測量機三脚固定セット。
【請求項６】
請求項３に記載の測量機三脚固定セットにおいて、
前記ベース材が、布製とした構成では、このベース材を捲装する構成とした測量機三脚固定セット。
【考案の詳細な説明】
【技術分野】
【０００１】
本考案は、測量機（トランシット及びセオドライト等の測量機や測定機、レベル計等）三脚固定セットに関する。
【背景技術】
【０００２】
従来、この種の測量機を水平に設置し、正確な測量を図るためには、この測量機を架承する三脚の架台を、できる限り地面（床面、地面等）に対して、水平状態に設置することが必要である。その為には、三脚の長さと、設置距離を正確にすることが最低限必要である。しかし、一般的には、目視と勘を頼りに行うことから、正確性を欠く場合がある。従って、この三脚の長さと、設置距離を正確にすること、また、この要望に応え得るための簡単な道具が必要とされること、等が考えられる。
【０００３】
そして、このような測量機は、例えば、工場において、機械を設置する際とか、土地の測量をする場合（道路の建築、建物の建造等）等において、必要とされる。このような使用に対応するために、この測量機は、持運びができ、使用時において、確実、かつ簡易に設置ができること、正確に測定できること、等が要望される。そして、また、工場等のコンクリート面で使用する際には、三脚の先端部の針を、係止するために、テープ等の緩衝材を設けて対応しているが、この緩衝材の取付けには、手間と基材を必要とし、殊のほか厄介である。従って、この針を、確実に係止できる構造が望まれている。
【０００４】
この要望に応え得る構造を先行文献から検討すると、下記の文献が挙げられる。
【０００５】
文献（１）は、特開平８−７５４７０号の「三脚の固定装置」である。この発明は、三脚用の固定装置が、六角形状のベース板と、このベース板に枢着した三本の足と、この足の先端部に設けた凹部とで構成した三脚の固定装置であり、また、この各足は伸縮自在に設けられている。この発明は、三脚を正確に測定点に固定できること、又は三脚の固定装置を折畳んで、運搬できること、等の効果がある。この発明は、三脚の固定装置を、一体に折畳んで、運搬できるが、かえって、重くなり、運搬に厄介であることが考えられる。また、この構成では、三本の足を固定するために、舌片と、この舌片を固定するための手段を備えた構造であり、構造が複雑化し、かつ取扱いに手間を要すること、等の改良点が考えられる。
【０００６】
また、文献（２）は、特開平８−１４５６７７号の「三脚固定装置」である。この発明は、三枚のベースプレートを、三本の索条を介して連繋した構造である。従って、この発明は、文献（１）と、略同じ特徴を有する。しかし、この発明の構造では、索条を介して、三枚のベースプレートを、所定の位置に設置するには問題があること、又は核（中心、又は軸）となる手段がなく、全体が不安定であり、正確な測量に問題を残すこと、等が考えられる。
【０００７】
さらに、文献（３）は、実開平５−６９６２０号の「三脚保持基台」であり、この考案は、三脚の各脚の先端部の針が係止される複数の孔を有する三枚の支片を、ヒンジを介して、折畳み自在に設け、この支片を展開した状態で、等間隔、かつ放射方向に設置できる構造であり、前記の文献（１）と、略同じ特徴を有する。しかし、この考案は、三枚の支片が、ヒンジで蝶着されている特徴を有する。しかし、三枚の支片を蝶着した構造では、展開時、又は折畳み時において、その操作が厄介であること、又は整然とした使用・収容状態を確保するには、問題を抱えていること、等が考えられる。
【０００８】
【特許文献１】特開平８−７５４７０号
【特許文献２】特開平８−１４５６７７号
【特許文献３】実開平５−６９６２０号
【考案の概要】
【考案が解決しようとする課題】
【０００９】
前記文献（１）では、前述した如く、「三脚の固定装置を、一体に折畳んで、運搬できるが、かえって、重くなり、運搬に厄介であることが考えられる。また、この構成では、三本の足を固定するために、舌片と、この舌片を固定するための手段を備えた構造であり、構造が複雑化し、かつ取扱いに手間を要すること、」等の改良点が考えられる。
【００１０】
そして、また、文献（２）では、前述した如く、「索条を介して、三枚のベースプレートを、所定の位置に設置するには問題があること、又は核（中心、又は軸）となる手段がなく、全体が不安定であり、正確な測量に問題を残すこと、」等の改良点が考えられる。
【００１１】
尚、文献（３）では、前述した如く、「三枚の支片が、ヒンジで蝶着されている特徴を有する。しかし、三枚の支片を蝶着した構造では、展開時、又は折畳み時において、その操作が厄介であること、又は整然とした使用・収容状態を確保するには、問題を抱えていること、」等の改良点が考えられる。
【課題を解決するための手段】
【００１２】
請求項１の考案は、ベース基板の等間隔で、かつ放射方向に延設した三つのベース片と、このベース片に設ける三つのベース材とで構成することで、構造の簡略化と、収容時の簡易化と迅速化等を図ることを意図する。そして、この請求項１の考案は、三脚の先端部、及び／又は、針（以下、先端部とする）を、確実に、かつ所定の位置に設置が可能となり、測量の正確性と、測量機器の水平架承を、簡易、かつ瞬時に達成すること、又はこの先端部の移動と、スリップを解消すること、等を意図する。さらに、この請求項１の考案は、前記の構造を採用することで、折畳み時（収容時）における、コンパクト化と、軽量化を図ること、そして、また、本考案の測量機三脚固定セットと測量機とを併せて、運搬可能とすることを意図する。
【００１３】
請求項１は、測量機を架承する三脚用ベースは、ベース基板と、このベース基板より等間隔で、かつ放射方向に延設した三つのベース片と、この各ベース片の表面に立設した複数の係止突起と、この各ベース片に係止される三つのベース材とで構成し、
前記各ベース片の複数の係止突起に、前記各ベース材の基端の第一の孔を、それぞれ係止するとともに、この基端側を、前記各ベース片に添接して固定し、この固定した各ベース材の長手方向において、複数個開設した第二の孔に、前記三脚の各脚先端に設けた各針を、それぞれ差込む構成とし、
前記各ベース材の基端側には、各ベース片に添接するための折曲げ部か、又は添接部を設ける構成とした測量機三脚固定セットである。
【００１４】
請求項２・３の考案は、請求項１の目的を達成し、また、この目的達成に最適な、ベース材の提供を意図する。
【００１５】
請求項２は、請求項１に記載の測量機三脚固定セットにおいて、
前記ベース材が、剛性の板材とする構成とした測量機三脚固定セットである。
【００１６】
請求項３は、請求項１に記載の測量機三脚固定セットにおいて、
前記ベース材が、布製とする構成とした測量機三脚固定セットである。
【００１７】
請求項４の考案は、請求項１の目的を達成し、また、この目的達成に最適な、ベース基板の提供を意図する。
【００１８】
請求項４は、請求項１に記載の測量機三脚固定セットにおいて、
前記ベース基板、及び／又は、前記ベース片とに、スリップ防止、緩衝用等の補助板を取付ける構成とした測量機三脚固定セットである。
【００１９】
請求項５の考案は、請求項１の目的を達成し、また、この目的達成に最適で、かつ収容の簡便な、ベース材の提供を意図する。
【００２０】
請求項５は、請求項２に記載の測量機三脚固定セットにおいて、
前記ベース材が、剛性の板材とした構成では、前記ベース片の一枚に、この三枚の板材を重畳してセットする構成とした測量機三脚固定セットである。
【００２１】
請求項６の考案は、請求項１の目的を達成し、また、この目的達成に最適で、収容に最もコンパクト化が図れるベース材の提供を意図する。
【００２２】
請求項６は、請求項３に記載の測量機三脚固定セットにおいて、
前記ベース材が、布製とした構成では、このベース材を捲装する構成とした測量機三脚固定セットである。
【考案の効果】
【００２３】
請求項１の考案は、測量機を架承する三脚用ベースは、ベース基板と、ベース基板より等間隔で、かつ放射方向に延設した三つのベース片と、各ベース片の表面に立設した複数の係止突起と、各ベース片に係止される三つのベース材とで構成し、
各ベース片の複数の係止突起に、各ベース材の基端の第一の孔を、それぞれ係止するとともに、基端側を、各ベース片に添接して固定し、固定した各ベース材の長手方向において、複数個開設した第二の孔に、三脚の各脚先端に設けた各針を、それぞれ差込む構成とし、
各ベース材の基端側には、各ベース片に添接するための折曲げ部か、又は添接部を設ける構成とした測量機三脚固定セットである。
【００２４】
従って、請求項１は、ベース基板の等間隔で、かつ放射方向に延設した三つのベース片と、このベース片に設ける三つのベース材とで構成することで、構造の簡略化と、収容時の簡易化と迅速化等が特徴がある。そして、この請求項１は、三脚の先端部、及び／又は、針（以下、先端部とする）を、確実に、かつ所定の位置に設置が可能となり、測量の正確性と、測量機器の水平架承を、簡易、かつ瞬時に達成できること、又はこの先端部の移動と、スリップを解消できること、等の実益がある。さらに、この請求項１は、前記の構造を採用することで、折畳み時（収容時）における、コンパクト化と、軽量化が図れること、そして、また、本考案の測量機三脚固定セットと測量機とを併せて、運搬可能となること、等の利点がある。
【００２５】
請求項２の考案は、請求項１に記載の測量機三脚固定セットにおいて、
ベース材が、剛性の板材とする構成とした測量機三脚固定セットである。
【００２６】
請求項３の考案は、請求項１に記載の測量機三脚固定セットにおいて、
ベース材が、布製とする構成とした測量機三脚固定セットである。
【００２７】
従って、請求項２・３は、請求項１の目的を達成でき、かつこの目的達成に最適な、ベース材を提供できる特徴がある。
【００２８】
請求項４の考案は、請求項１に記載の測量機三脚固定セットにおいて、
ベース基板、及び／又は、ベース片とに、スリップ防止、緩衝用等の補助板を取付ける構成とした測量機三脚固定セットである。
【００２９】
従って、請求項４は、請求項１の目的を達成でき、また、この目的達成に最適な、ベース基板を提供できる特徴がある。
【００３０】
請求項５の考案は、請求項２に記載の測量機三脚固定セットにおいて、
ベース材が、剛性の板材とした構成では、ベース片の一枚に、三枚の板材を重畳してセットする構成とした測量機三脚固定セットである。
【００３１】
従って、請求項５は、請求項１の目的を達成でき、また、この目的達成に最適で、かつ収容の簡便な、ベース材を提供できる特徴がある。
【００３２】
請求項６の考案は、請求項３に記載の測量機三脚固定セットにおいて、
ベース材が、布製とした構成では、ベース材を捲装する構成とした測量機三脚固定セットである。
【００３３】
従って、請求項６は、請求項１の目的を達成でき、また、この目的達成に最適で、収容に最もコンパクト化が図れるベース材を提供できる特徴がある。
【図面の簡単な説明】
【００３４】
【図１】測量機三脚固定セット（本考案とする）の第一実施例を示した要部を示した拡大平面図
【図２】本考案の第一実施例を示した要部の拡大側面図
【図３】本考案の第一実施例の使用状態を示した縮尺俯瞰図
【図４】本考案の第一実施例で、ベース基板のベース片に、三枚のベース材（ベース板）を収容した関係を示した要部の拡大側面図
【図５】本考案の第一実施例で、ベース基板のベース片に、三枚のベース板をセットした使用状態を示した要部の拡大側面図
【図６】本考案の第二実施例の使用状態を示した縮尺俯瞰図
【図７】本考案の第二実施例のベース材（ベース布）の捲装状態を示した俯瞰図
【図８】本考案の第一実施例で、一枚のベース布の展開状態を示した側面図
【考案を実施するための形態】
【００３５】
以下、本考案の実施例を説明する。
【００３６】
図１〜図５は第一実施例を示しており、１は測量機Ａを架承する三脚用ベースで、この三脚ベース１は、核となる等辺三角形２００の剛性で板状のベース基板２と、ベース基板２の各等辺２００ａより等間隔（１２０°の角度）で、かつ放射方向に延設した剛性で板状の三つのベース片３、３、３（３とする）と、各ベース片３の表面３ａに、少なくとも、二個単位で立設した複数の係止突起５、５等（５とする）と、この、各ベース片３、及び／又は、係止突起５に係止される三つの剛性で板状のベース板６（ベース材）とで構成する。そして、このベース板６の基端側６００の二つの第一の孔７、７（７とする）を、二個単位で立設した係止突起５に、係止することで、このベース板６の方向性（等間隔で、かつ放射方向への取付け）と、位置が決定される。尚、係止突起５は先細り構造とし、ベース板６の第一の孔７の係合と、後述する止め具の緊締を容易とする。尚、第一の孔７は名称を区別するためであり、一例である。
【００３７】
尚、前記ベース基板２の裏面２ｂ、及び／又は、ベース片３の裏面３ｂには、樹脂、又はゴム、複合材等のスリップ防止が図れる補助板８（緩衝板、防滑板等）を全体に設ける。この補助板８は、スリップ防止と、地面ＧＬの凹凸にも対応可能とすることで、利便性と、設置の安定性が図れる。
【００３８】
そして、前述の如く、ベース基板２の裏面２ｂ、及び／又は、ベース片３の裏面３ｂには、補助板８を設けることで、このベース基板２、及び、ベース片３が、嵩高となることから、ベース板６も、これに対応する構造とする。その一例を説明すると、この嵩高となったベース片３に対応する為に、このベース板６には、折曲げ部６００ａを介して、競り上がった基端部６００を形成する。従って、この基端側６００は、ベース板６の本体側６０１と、先端側６０２に対し、上方に形成する。この基端部６００に、折曲げ部６００ａを介して、競り上がった構造とすることで、この基端側６００が、このベース片３の表面３ａに添接される。この基端側６００の添接で、このベース板６の本体側６０１と、先端側６０２が、地面ＧＬに馴染むように設置される。従って、例えば、この基端側６００の安定設置が図れ、かつこのベース板６の本体側６０１と、先端側６０２が、地面ＧＬに馴染む設置が図れる。そして、また、三脚ベース１の安定設置が図れること、又は測量機Ａの水平を容易、かつ簡易に設定できること、等の実益がある。
【００３９】
この各ベース板６を、各ベース片３にセット（設置）し、測量機Ａを据付ける一例を説明すると、図４の如く、ベース片３の一箇所の係止突起５に、三枚のベース板６の第一の孔７を、それぞれ係合し、このベース片３の一箇所に、三枚のベース板６の基端側６００を添接し、かつこのベース板６の本体側６０１と、先端側６０２を重畳した状態から、係止突起５に緊締した止め具９を取外す。この操作で、他の二枚のベース板６は、一箇所の係止突起５から自由に取外し可能であるので、この他の二枚のベース板６を取外す。この取外し後、この他の二枚のベース板６の基端側６００の第一の孔７を、それぞれ他の二枚のベース板３の係止突起５に、それぞれ、順次、かつ個別に係合する。前述の如く、二つの第一の孔７を、二つの係止突起５に係合することで、図３、図５の如く、各ベース板６は、等間隔で、かつ放射方向への取付けが確定される（各ベース板６は、ぶれることがない）。また、ベース板６を、各ベース片３にそれぞれ取付けた際に、このベース板６の基端側６００の先端が衝止せずに設置が図れる構造とする（この基端側６００の先端が、ベース基板２の表面２ａに至らない構造とする）。
【００４０】
前記の如く、各ベース片３（ベース基板２）に、各ベース板６が取付けられた状態で、この三脚用ベース１は、地面ＧＬに設置されるので、この各ベース板６の長手方向Ｂに開設した複数個の第二の孔１０、１０等（以下、第二の孔１０とする。尚、第二の孔１０は名称を区別するためであり、一例である）には、図３で示す如く、原則として、長手方向Ｂにおいて、同じ長さ位置（所定）の第二の孔１０に、測量機Ａの各脚Ａ１の先端の針Ａ２を差込み、この測量機Ａを設置する。この設置後に、測量機Ａの本体部Ａ３の水平調整をする。
【００４１】
以上のような操作で、三脚用ベース１の設置と、この三脚用ベース１を介して、測量機Ａの脚Ａ１の長さと、針Ａ２の位置が決定し、かつ本体部Ａ３の水平設置が完了することで、順次、測量を行なうことになる。そして、本考案では、この測量機Ａを安定して設置できることで、正確な測量と、測量操作を簡便に行ない得る等の実益がある。
【００４２】
また、図６〜図８は第二実施例を示しており、第一実施例との相違点を説明する。この第二実施例では、ベース材をベース布６０とする構造であり、このベース布６０は、捲装可能とし、より容易な収容と運搬を図ることを意図する。その他の構造と、使用の態様は前述の例に準ずる。尚、この例では、ベース布６０が、布製であることを利用し、前記折曲げ部６００ａに代替し、添接部６０００ａとする。この添接部６０００ａは、このベース布６０が可撓性を有することから、嵩高となったベース片３を乗越えできることを利用した。また、基端側６０００と、先端側６００２には、補強材を設け、安定性の確保を図ることも可能であり、さらに、捲装状態を確保するために、図示しないが、バンド、止め具等を設けることも可能である。図中６００１は、ベース布６０の本体側を示す。
【符号の説明】
【００４３】
１            三脚用ベース
２            ベース基板
２００        等辺三角形
２００ａ      等辺
２ａ          表面
２ｂ          裏面
３            ベース片
３ａ          表面
３ｂ          裏面
５            係止突起
６            ベース板
６００        基端側
６００ａ      折曲げ部
６０１        本体側
６０２        先端側
７            第一の孔
８            補助板（緩衝板、防滑板等）
９            止め具
１０          第二の孔
６０          ベース布
６０００      基端側
６０００ａ    添接部
６００１      本体側
６００２      先端側
Ａ            測量機
Ａ１          脚
Ａ２          針
Ａ３          本体部
Ｂ            長手方向
ＧＬ          地面
【図１】
0003159736.tif 000003
【図２】
0003159736.tif 000004
【図３】
0003159736.tif 000005
【図４】
0003159736.tif 000006
【図５】
0003159736.tif 000007
【図６】
0003159736.tif 000008
【図７】
0003159736.tif 000009
【図８】
0003159736.tif 000010
【手続補正書】
【提出日】平成22年3月17日(2010.3.17)
【手続補正１】
【補正対象書類名】実用新案登録請求の範囲
【補正対象項目名】全文
【補正方法】変更
【補正の内容】
【実用新案登録請求の範囲】
【請求項１】
測量機を架承する三脚用ベースは、ベース基板と、このベース基板より等間隔で、かつ放射方向に延設した三つのベース片と、この各ベース片の表面に立設した複数の係止突起と、この各ベース片に係止される三つのベース材とで構成し、
前記各ベース片の複数の係止突起に、前記各ベース材の基端の第一の孔を、それぞれ係止するとともに、この基端側を、前記各ベース片に添接して固定し、この固定した各ベース材の長手方向において、複数個開設した第二の孔に、前記三脚の各脚先端に設けた各針を、それぞれ差込む構成とし、
前記各ベース材の基端側には、各ベース片に添接するための折曲げ部か、又は添接部を設ける構成とした測量機三脚固定セット。
【請求項２】
請求項１に記載の測量機三脚固定セットにおいて、
前記ベース材が、剛性の板材とする構成とした測量機三脚固定セット。
【請求項３】
請求項１に記載の測量機三脚固定セットにおいて、
前記ベース材が、布製とする構成とした測量機三脚固定セット。
【請求項４】
請求項１に記載の測量機三脚固定セットにおいて、
前記ベース基板、及び／又は、前記ベース片とに、スリップ防止、緩衝用の補助板を取付ける構成とした測量機三脚固定セット。
【請求項５】
請求項２に記載の測量機三脚固定セットにおいて、
前記ベース材が、剛性の板材とした構成では、前記ベース片の一枚に、この三枚の板材を重畳してセットする構成とした測量機三脚固定セット。
【請求項６】
請求項３に記載の測量機三脚固定セットにおいて、
前記ベース材が、布製とした構成では、このベース材を捲装する構成とした測量機三脚固定セット。
【手続補正２】
【補正対象書類名】明細書
【補正対象項目名】全文
【補正方法】変更
【補正の内容】
【考案の詳細な説明】
【技術分野】
【０００１】
本考案は、測量機（トランシット及びセオドライト等の測量機や測定機、レベル計等）三脚固定セットに関する。
【背景技術】
【０００２】
従来、この種の測量機を水平に設置し、正確な測量を図るためには、この測量機を架承する三脚の架台を、できる限り地面（床面、地面等）に対して、水平状態に設置することが必要である。その為には、三脚の長さと、設置距離を正確にすることが最低限必要である。しかし、一般的には、目視と勘を頼りに行うことから、正確性を欠く場合がある。従って、この三脚の長さと、設置距離を正確にすること、また、この要望に応え得るための簡単な道具が必要とされること、等が考えられる。
【０００３】
そして、このような測量機は、例えば、工場において、機械を設置する際とか、土地の測量をする場合（道路の建築、建物の建造等）等において、必要とされる。このような使用に対応するために、この測量機は、持運びができ、使用時において、確実、かつ簡易に設置ができること、正確に測定できること、等が要望される。そして、また、工場等のコンクリート面で使用する際には、三脚の先端部の針を、係止するために、テープ等の緩衝材を設けて対応しているが、この緩衝材の取付けには、手間と基材を必要とし、殊のほか厄介である。従って、この針を、確実に係止できる構造が望まれている。
【０００４】
この要望に応え得る構造を先行文献から検討すると、下記の文献が挙げられる。
【０００５】
文献（１）は、特開平８−７５４７０号の「三脚の固定装置」である。この発明は、三脚用の固定装置が、六角形状のベース板と、このベース板に枢着した三本の足と、この足の先端部に設けた凹部とで構成した三脚の固定装置であり、また、この各足は伸縮自在に設けられている。この発明は、三脚を正確に測定点に固定できること、又は三脚の固定装置を折畳んで、運搬できること、等の効果がある。この発明は、三脚の固定装置を、一体に折畳んで、運搬できるが、かえって、重くなり、運搬に厄介であることが考えられる。また、この構成では、三本の足を固定するために、舌片と、この舌片を固定するための手段を備えた構造であり、構造が複雑化し、かつ取扱いに手間を要すること、等の改良点が考えられる。
【０００６】
また、文献（２）は、特開平８−１４５６７７号の「三脚固定装置」である。この発明は、三枚のベースプレートを、三本の索条を介して連繋した構造である。従って、この発明は、文献（１）と、略同じ特徴を有する。しかし、この発明の構造では、索条を介して、三枚のベースプレートを、所定の位置に設置するには問題があること、又は核（中心、又は軸）となる手段がなく、全体が不安定であり、正確な測量に問題を残すこと、等が考えられる。
【０００７】
さらに、文献（３）は、実開平５−６９６２０号の「三脚保持基台」であり、この考案は、三脚の各脚の先端部の針が係止される複数の孔を有する三枚の支片を、ヒンジを介して、折畳み自在に設け、この支片を展開した状態で、等間隔、かつ放射方向に設置できる構造であり、前記の文献（１）と、略同じ特徴を有する。しかし、この考案は、三枚の支片が、ヒンジで蝶着されている特徴を有する。しかし、三枚の支片を蝶着した構造では、展開時、又は折畳み時において、その操作が厄介であること、又は整然とした使用・収容状態を確保するには、問題を抱えていること、等が考えられる。
【０００８】
【特許文献１】特開平８−７５４７０号
【特許文献２】特開平８−１４５６７７号
【特許文献３】実開平５−６９６２０号
【考案の概要】
【考案が解決しようとする課題】
【０００９】
前記文献（１）では、前述した如く、「三脚の固定装置を、一体に折畳んで、運搬できるが、かえって、重くなり、運搬に厄介であることが考えられる。また、この構成では、三本の足を固定するために、舌片と、この舌片を固定するための手段を備えた構造であり、構造が複雑化し、かつ取扱いに手間を要すること、」等の改良点が考えられる。
【００１０】
そして、また、文献（２）では、前述した如く、「索条を介して、三枚のベースプレートを、所定の位置に設置するには問題があること、又は核（中心、又は軸）となる手段がなく、全体が不安定であり、正確な測量に問題を残すこと、」等の改良点が考えられる。
【００１１】
尚、文献（３）では、前述した如く、「三枚の支片が、ヒンジで蝶着されている特徴を有する。しかし、三枚の支片を蝶着した構造では、展開時、又は折畳み時において、その操作が厄介であること、又は整然とした使用・収容状態を確保するには、問題を抱えていること、」等の改良点が考えられる。
【課題を解決するための手段】
【００１２】
請求項１の考案は、ベース基板の等間隔で、かつ放射方向に延設した三つのベース片と、このベース片に設ける三つのベース材とで構成することで、構造の簡略化と、収容時の簡易化と迅速化等を図ることを意図する。そして、この請求項１の考案は、三脚の先端部、及び／又は、針（以下、先端部とする）を、確実に、かつ所定の位置に設置が可能となり、測量の正確性と、測量機器の水平架承を、簡易、かつ瞬時に達成すること、又はこの先端部の移動と、スリップを解消すること、等を意図する。さらに、この請求項１の考案は、前記の構造を採用することで、折畳み時（収容時）における、コンパクト化と、軽量化を図ること、そして、また、本考案の測量機三脚固定セットと測量機とを併せて、運搬可能とすることを意図する。
【００１３】
請求項１は、測量機を架承する三脚用ベースは、ベース基板と、このベース基板より等間隔で、かつ放射方向に延設した三つのベース片と、この各ベース片の表面に立設した複数の係止突起と、この各ベース片に係止される三つのベース材とで構成し、
前記各ベース片の複数の係止突起に、前記各ベース材の基端の第一の孔を、それぞれ係止するとともに、この基端側を、前記各ベース片に添接して固定し、この固定した各ベース材の長手方向において、複数個開設した第二の孔に、前記三脚の各脚先端に設けた各針を、それぞれ差込む構成とし、
前記各ベース材の基端側には、各ベース片に添接するための折曲げ部か、又は添接部を設ける構成とした測量機三脚固定セットである。
【００１４】
請求項２・３の考案は、請求項１の目的を達成し、また、この目的達成に最適な、ベース材の提供を意図する。
【００１５】
請求項２は、請求項１に記載の測量機三脚固定セットにおいて、
前記ベース材が、剛性の板材とする構成とした測量機三脚固定セットである。
【００１６】
請求項３は、請求項１に記載の測量機三脚固定セットにおいて、
前記ベース材が、布製とする構成とした測量機三脚固定セットである。
【００１７】
請求項４の考案は、請求項１の目的を達成し、また、この目的達成に最適な、ベース基板の提供を意図する。
【００１８】
請求項４は、請求項１に記載の測量機三脚固定セットにおいて、
前記ベース基板、及び／又は、前記ベース片とに、スリップ防止、緩衝用の補助板を取付ける構成とした測量機三脚固定セットである。
【００１９】
請求項５の考案は、請求項１の目的を達成し、また、この目的達成に最適で、かつ収容の簡便な、ベース材の提供を意図する。
【００２０】
請求項５は、請求項２に記載の測量機三脚固定セットにおいて、
前記ベース材が、剛性の板材とした構成では、前記ベース片の一枚に、この三枚の板材を重畳してセットする構成とした測量機三脚固定セットである。
【００２１】
請求項６の考案は、請求項１の目的を達成し、また、この目的達成に最適で、収容に最もコンパクト化が図れるベース材の提供を意図する。
【００２２】
請求項６は、請求項３に記載の測量機三脚固定セットにおいて、
前記ベース材が、布製とした構成では、このベース材を捲装する構成とした測量機三脚固定セットである。
【考案の効果】
【００２３】
請求項１の考案は、測量機を架承する三脚用ベースは、ベース基板と、ベース基板より等間隔で、かつ放射方向に延設した三つのベース片と、各ベース片の表面に立設した複数の係止突起と、各ベース片に係止される三つのベース材とで構成し、
各ベース片の複数の係止突起に、各ベース材の基端の第一の孔を、それぞれ係止するとともに、基端側を、各ベース片に添接して固定し、固定した各ベース材の長手方向において、複数個開設した第二の孔に、三脚の各脚先端に設けた各針を、それぞれ差込む構成とし、
各ベース材の基端側には、各ベース片に添接するための折曲げ部か、又は添接部を設ける構成とした測量機三脚固定セットである。
【００２４】
従って、請求項１は、ベース基板の等間隔で、かつ放射方向に延設した三つのベース片と、このベース片に設ける三つのベース材とで構成することで、構造の簡略化と、収容時の簡易化と迅速化等が特徴がある。そして、この請求項１は、三脚の先端部、及び／又は、針（以下、先端部とする）を、確実に、かつ所定の位置に設置が可能となり、測量の正確性と、測量機器の水平架承を、簡易、かつ瞬時に達成できること、又はこの先端部の移動と、スリップを解消できること、等の実益がある。さらに、この請求項１は、前記の構造を採用することで、折畳み時（収容時）における、コンパクト化と、軽量化が図れること、そして、また、本考案の測量機三脚固定セットと測量機とを併せて、運搬可能となること、等の利点がある。
【００２５】
請求項２の考案は、請求項１に記載の測量機三脚固定セットにおいて、
ベース材が、剛性の板材とする構成とした測量機三脚固定セットである。
【００２６】
請求項３の考案は、請求項１に記載の測量機三脚固定セットにおいて、
ベース材が、布製とする構成とした測量機三脚固定セットである。
【００２７】
従って、請求項２・３は、請求項１の目的を達成でき、かつこの目的達成に最適な、ベース材を提供できる特徴がある。
【００２８】
請求項４の考案は、請求項１に記載の測量機三脚固定セットにおいて、
ベース基板、及び／又は、ベース片とに、スリップ防止、緩衝用の補助板を取付ける構成とした測量機三脚固定セットである。
【００２９】
従って、請求項４は、請求項１の目的を達成でき、また、この目的達成に最適な、ベース基板を提供できる特徴がある。
【００３０】
請求項５の考案は、請求項２に記載の測量機三脚固定セットにおいて、
ベース材が、剛性の板材とした構成では、ベース片の一枚に、三枚の板材を重畳してセットする構成とした測量機三脚固定セットである。
【００３１】
従って、請求項５は、請求項１の目的を達成でき、また、この目的達成に最適で、かつ収容の簡便な、ベース材を提供できる特徴がある。
【００３２】
請求項６の考案は、請求項３に記載の測量機三脚固定セットにおいて、
ベース材が、布製とした構成では、ベース材を捲装する構成とした測量機三脚固定セットである。
【００３３】
従って、請求項６は、請求項１の目的を達成でき、また、この目的達成に最適で、収容に最もコンパクト化が図れるベース材を提供できる特徴がある。
【図面の簡単な説明】
【００３４】
【図１】測量機三脚固定セット（本考案とする）の第一実施例を示した要部を示した拡大平面図
【図２】本考案の第一実施例を示した要部の拡大側面図
【図３】本考案の第一実施例の使用状態を示した縮尺俯瞰図
【図４】本考案の第一実施例で、ベース基板のベース片に、三枚のベース材（ベース板）を収容した関係を示した要部の拡大側面図
【図５】本考案の第一実施例で、ベース基板のベース片に、三枚のベース板をセットした使用状態を示した要部の拡大側面図
【図６】本考案の第二実施例の使用状態を示した縮尺俯瞰図
【図７】本考案の第二実施例のベース材（ベース布）の捲装状態を示した俯瞰図
【図８】本考案の第一実施例で、一枚のベース布の展開状態を示した側面図
【考案を実施するための形態】
【００３５】
以下、本考案の実施例を説明する。
【００３６】
図１〜図５は第一実施例を示しており、１は測量機Ａを架承する三脚用ベースで、この三脚ベース１は、核となる等辺三角形２００の剛性で板状のベース基板２と、ベース基板２の各等辺２００ａより等間隔（１２０°の角度）で、かつ放射方向に延設した剛性で板状の三つのベース片３、３、３（３とする）と、各ベース片３の表面３ａに、少なくとも、二個単位で立設した複数の係止突起５、５等（５とする）と、この、各ベース片３、及び／又は、係止突起５に係止される三つの剛性で板状のベース板６（ベース材）とで構成する。そして、このベース板６の基端側６００の二つの第一の孔７、７（７とする）を、二個単位で立設した係止突起５に、係止することで、このベース板６の方向性（等間隔で、かつ放射方向への取付け）と、位置が決定される。尚、係止突起５は先細り構造とし、ベース板６の第一の孔７の係合と、後述する止め具の緊締を容易とする。尚、第一の孔７は名称を区別するためであり、一例である。
【００３７】
尚、前記ベース基板２の裏面２ｂ、及び／又は、ベース片３の裏面３ｂには、樹脂、又はゴム、複合材等のスリップ防止が図れる補助板８（緩衝板、防滑板等）を全体に設ける。この補助板８は、スリップ防止と、地面ＧＬの凹凸にも対応可能とすることで、利便性と、設置の安定性が図れる。
【００３８】
そして、前述の如く、ベース基板２の裏面２ｂ、及び／又は、ベース片３の裏面３ｂには、補助板８を設けることで、このベース基板２、及び、ベース片３が、嵩高となることから、ベース板６も、これに対応する構造とする。その一例を説明すると、この嵩高となったベース片３に対応する為に、このベース板６には、折曲げ部６００ａを介して、競り上がった基端部６００を形成する。従って、この基端側６００は、ベース板６の本体側６０１と、先端側６０２に対し、上方に形成する。この基端部６００に、折曲げ部６００ａを介して、競り上がった構造とすることで、この基端側６００が、このベース片３の表面３ａに添接される。この基端側６００の添接で、このベース板６の本体側６０１と、先端側６０２が、地面ＧＬに馴染むように設置される。従って、例えば、この基端側６００の安定設置が図れ、かつこのベース板６の本体側６０１と、先端側６０２が、地面ＧＬに馴染む設置が図れる。そして、また、三脚ベース１の安定設置が図れること、又は測量機Ａの水平を容易、かつ簡易に設定できること、等の実益がある。
【００３９】
この各ベース板６を、各ベース片３にセット（設置）し、測量機Ａを据付ける一例を説明すると、図４の如く、ベース片３の一箇所の係止突起５に、三枚のベース板６の第一の孔７を、それぞれ係合し、このベース片３の一箇所に、三枚のベース板６の基端側６００を添接し、かつこのベース板６の本体側６０１と、先端側６０２を重畳した状態から、係止突起５に緊締した止め具９を取外す。この操作で、他の二枚のベース板６は、一箇所の係止突起５から自由に取外し可能であるので、この他の二枚のベース板６を取外す。この取外し後、この他の二枚のベース板６の基端側６００の第一の孔７を、それぞれ他の二枚のベース板３の係止突起５に、それぞれ、順次、かつ個別に係合する。前述の如く、二つの第一の孔７を、二つの係止突起５に係合することで、図３、図５の如く、各ベース板６は、等間隔で、かつ放射方向への取付けが確定される（各ベース板６は、ぶれることがない）。また、ベース板６を、各ベース片３にそれぞれ取付けた際に、このベース板６の基端側６００の先端が衝止せずに設置が図れる構造とする（この基端側６００の先端が、ベース基板２の表面２ａに至らない構造とする）。
【００４０】
前記の如く、各ベース片３（ベース基板２）に、各ベース板６が取付けられた状態で、この三脚用ベース１は、地面ＧＬに設置されるので、この各ベース板６の長手方向Ｂに開設した複数個の第二の孔１０、１０等（以下、第二の孔１０とする。尚、第二の孔１０は名称を区別するためであり、一例である）には、図３で示す如く、原則として、長手方向Ｂにおいて、同じ長さ位置（所定）の第二の孔１０に、測量機Ａの各脚Ａ１の先端の針Ａ２を差込み、この測量機Ａを設置する。この設置後に、測量機Ａの本体部Ａ３の水平調整をする。
【００４１】
以上のような操作で、三脚用ベース１の設置と、この三脚用ベース１を介して、測量機Ａの脚Ａ１の長さと、針Ａ２の位置が決定し、かつ本体部Ａ３の水平設置が完了することで、順次、測量を行なうことになる。そして、本考案では、この測量機Ａを安定して設置できることで、正確な測量と、測量操作を簡便に行ない得る等の実益がある。
【００４２】
また、図６〜図８は第二実施例を示しており、第一実施例との相違点を説明する。この第二実施例では、ベース材をベース布６０とする構造であり、このベース布６０は、捲装可能とし、より容易な収容と運搬を図ることを意図する。その他の構造と、使用の態様は前述の例に準ずる。尚、この例では、ベース布６０が、布製であることを利用し、前記折曲げ部６００ａに代替し、添接部６０００ａとする。この添接部６０００ａは、このベース布６０が可撓性を有することから、嵩高となったベース片３を乗越えできることを利用した。また、基端側６０００と、先端側６００２には、補強材を設け、安定性の確保を図ることも可能であり、さらに、捲装状態を確保するために、図示しないが、バンド、止め具等を設けることも可能である。図中６００１は、ベース布６０の本体側を示す。
【符号の説明】
【００４３】
１            三脚用ベース
２            ベース基板
２００        等辺三角形
２００ａ      等辺
２ａ          表面
２ｂ          裏面
３            ベース片
３ａ          表面
３ｂ          裏面
５            係止突起
６            ベース板
６００        基端側
６００ａ      折曲げ部
６０１        本体側
６０２        先端側
７            第一の孔
８            補助板（緩衝板、防滑板等）
９            止め具
１０          第二の孔
６０          ベース布
６０００      基端側
６０００ａ    添接部
６００１      本体側
６００２      先端側
Ａ            測量機
Ａ１          脚
Ａ２          針
Ａ３          本体部
Ｂ            長手方向
ＧＬ          地面